(57)【要約】      （修正有）【課題】室内方向に対して熱を効率よく伝えることを最も主要な特徴とするブラインド、ロールスクリーンを提供する。また、窓からの放熱を防ぐため蓄熱性能を有するブラインドやスクリーンを室内と窓との間に設置することで窓からの放熱を防ぐことが可能となる。【解決手段】ブラインドまたはロールスクリーンの外面に太陽の赤外波を熱に変換する選択吸収膜６を設けることで効率よく太陽光を熱エネルギーに変換し室温を上昇させる。ブラインドはアルミで出来ており、熱電導して裏面に熱が伝えられ、室内に放熱される。また、裏面に潜熱蓄熱材８を塗布または貼り付けし、蓄熱性能を付与させることで、日中の熱を蓄熱し、夜間に一定時間状態変化温度を維持し、その後放出する。【選択図】図３
2020060081.tif 000002
【特許請求の範囲】
【請求項１】
窓の内側に配置されて太陽光を遮蔽する遮蔽材であって、該遮蔽材は、蓄熱材と該蓄熱材の表面に設けられた選択吸収膜とから構成されていることを特徴とする遮蔽材。
【請求項２】
前記遮蔽材は、前記蓄熱材の裏面に遮熱材が設けられている事を特徴とする請求項１記載の遮蔽材。
【請求項３】
前記遮蔽材は複数に分割されて反転可能なブラインドであることを特徴とする請求項１又は２記載の遮蔽材。
【請求項４】
前記遮蔽材は反転可能なロールスクリーンであることを特徴とする請求項１又は２記載の遮蔽材。
【請求項５】
前記選択吸収膜は太陽光の波長の内、赤外線の波長のみを選択的に吸収し、熱エネルギーに変換することを特徴とする請求項１記載の集熱材。
【発明の詳細な説明】
【技術分野】
【０００１】  本発明は、太陽熱利用暖房の容易な集熱・蓄熱するブラインド・ロールスクリーンに関する。
【背景技術】
【０００２】  ブラインドやロールスクリーンは、日射を遮光し室内温度を上昇させない役割と室内の目隠しを目的として実用化されている。ブラインドやロールスクリーンは閉じた時に夏季の温度上昇の抑制を期待するものである。意匠的にもモダンに見えるためカーテンの代用として利用する上では実用上十分であった。【０００３】  しかし、冬季にブラインドやロールスクリーンを空けて窓からの日射を室内に取り込んでも、室内温度が多少は上昇するものの暖房の熱源となる程の効果は得られない。最近の住宅は高気密・高断熱住宅となっており、暖房や冷房の際の壁や床、窓などからの熱損失は非常に少なくなってきているが、依然として冬季の暖房エネルギーの消費が最も多い。
【発明の概要】
【発明が解決しようとする課題】
【０００４】  日本の国民性として防犯上、外出する際にはカーテンを閉める習慣があり、日中の太陽光を室内に取り込めないため、太陽熱エネルギーを直接室内に取り込むことが容易ではない。従来のブラインドは、意匠性や照度の面では有効であるものの太陽エネルギーを有効活用するという面では十分な機能を有していなかった。又、寒い部屋で暖房装置を稼働させた際に、設定した室温まで上昇させるには大きなエネルギーを必要とするなどの問題があった。【０００５】  解決しようとする問題点は、ブラインドが遮光を目的として作られたものであり、集熱できない点である。また、冬季は窓からの放熱が家全体の約５２％を占めており、室内温度が最も下がりやすい場所である。【０００６】  本発明は、アルミ製のブラインドやロールスクリーンの表面に選択吸収膜を塗布または貼り付けするため、室内方向に対して熱を効率よく伝えることを最も主要な特徴とする。また、窓からの放熱を防ぐため蓄熱性能を有するブラインドやロールスクリーンを室内と窓との間に設置することで窓からの放熱を防ぐことが可能となる。
【課題を解決するための手段】
【０００７】本発明は上記課題を解決するために、窓の内側に配置されて太陽光を遮蔽する遮蔽材であって、該遮蔽材は、蓄熱材と該蓄熱材の表面に設けられた選択吸収膜とから構成されていることを特徴とする。【０００８】  又、本発明においては、前記遮蔽材は、前記蓄熱材の裏面に遮熱材が設けられている事を特徴とする。【０００９】  又、本発明においては、前記選択吸収膜は太陽光の波長の内、赤外線の波長のみを選択的に吸収し、熱エネルギーに変換することを特徴とする。
【発明の効果】
【００１０】  本発明のブラインドやロールスクリーンは、主に窓ガラスの室内側に設置することで太陽光を集光している日中は集熱面であるブラインドまたはロールスクリーンの蓄熱部が４５〜５５℃度となる。蓄熱部に潜熱蓄熱材を採用しているため、夜間になってもブラインドまたはロールスクリーンは一定時間状態変化温度を維持し、その後温度低下をしていく。また、窓とブラインドまたはロールスクリーンとの間に空気層が出来るため窓からの放熱も低減できる。その結果、室温の暖房に使用する電力量や化石燃料を低減でき、地球温暖化の原因の１つでもあるＣＯ２の発生量を低減できるという利点がある。
【図面の簡単な説明】
【００１１】
【図１】本発明に係るブラインドの斜視図である。
【図２】図１におけるスラット部の詳細構造を示す図である。
【図３】図２におけるＡ−Ａ線断面図である。
【図４】本発明に係るロールスクリーン（開）の斜視図である。
【図５】本発明に係るロールスクリーン（開）の斜視図である。
【図６】図５におけるＢ−Ｂ線断面図である。
【発明を実施するための形態】
【００１２】  本発明実施例（ブラインド）について図１〜図３に基づいて説明する。図１において太陽熱ブラインドは、窓５のフレームにレール取付金具３を木ネジ等で固定を行う。全てのレール取付金具３を取付け後、レール４をレール取付金具３に嵌め込む。嵌め込んだ後、レール４内に組込まれているスラット回転金具２にスラット１を掛ける。スラット１は縦方向、場合によっては横方向のものとする。又、スラット１は設置場所に応じ枚数を選定し複数枚設置を行うものとする。
【００１３】  図２のスラット１はスラット回転金具２に固定されており回転することが可能である。回転方向は片方回転となっており、１８０度まで回転を行う。
【００１４】  前記説明したスラット１は、図３の断面図で示すように潜熱蓄熱材８の表面に太陽熱を集熱する選択吸収膜６、裏面に太陽光を遮熱する遮熱材（反射膜）７からなる３層構造となる。
【００１５】  夏場は、遮熱材（反射膜）７を屋外方向に、選択吸収膜６を屋内方向に回転させる。上記実施により太陽光を遮熱することが可能となり、室内温度の上昇を軽減する。
【００１６】  冬場は、選択吸収膜６を屋外方向に、遮熱材（反射膜）７を屋内方向に回転させる。上記実施により太陽光から集熱することが可能となり、室内温度の上昇が見込まれる。
【００１７】  ブラインド又はロールスクリーンの外面に太陽の赤外波を熱に変換する選択吸収膜６を設けることで効率よく太陽光を熱エネルギーに変換し潜熱蓄熱材８へと蓄熱させる。太陽の赤外波は窓ガラスを透過し、ブラインドに設けた選択吸収膜６で熱に変換される。ブラインドはアルミで出来ており熱電導して裏面に熱が伝えられ、潜熱蓄熱材８へ蓄熱され室内に放熱される。潜熱蓄熱材８により昼間の熱を昼間に使うばかりでなく、裏面に潜熱蓄熱材８を塗布または貼り付けることで日没後でも太陽熱の利用が可能となる。
【００１８】  ブラインドまたはロールスクリーンの裏面に塗布または貼り付けられた潜熱蓄熱材８の役割は、日中の熱を蓄熱し、夜間に一定時間状態変化温度を維持し、その後放出することが狙いである。そのため、冬場の外気温よりも高い潜熱蓄熱は２０〜５０℃の温度を数時間かけて放熱しなければならない。塗料または貼り付け用シートには、温度を安定させるためにマイクロカプセルに入った潜熱蓄熱材８を採用する。潜熱蓄熱材８は、固体−液体間の相転移時の温度特性を利用した材料のため融点以上の状態では液状化しいてしまう。そのため、ブラインドまたはロールスクリーンの裏面に塗布またはシート状にして貼り付けるためには、潜熱蓄熱材８をマイクロカプセルに閉じ込める必要がある。
※１  潜熱蓄熱材８：潜熱とは物質が温度変化なく、固体・液体・気体の状態変化を行うために発生または吸収する熱のこと。本発明における潜熱蓄熱材８において蓄熱は液体から固体に変化する際の潜熱を利用したもの。
【００１９】  春秋は上記方法を駆使し、室内温度を上昇させたい場合は、選択吸収膜６を屋外方向に、遮熱材（反射膜）７を屋内方向に回転させる。上記実施により太陽光から集熱することが可能となり、室内温度の上昇が見込まれる。室内温度を上昇させたくない場合は選択吸収膜６を屋外方向に、遮熱材（反射膜）７を屋内方向に回転させる。上記実施により太陽光から集熱することが可能となり、室内温度の上昇が見込まれる。この動作を状況に応じて調整を行う。
【００２０】  上記実施例では、潜熱蓄熱材８に白色系の材料、例えば不織布を使用する。白色系の反射率は７０％となり、高い反射率を見込める。（反射率を色彩で比較すると黒色系は４％）又、潜熱蓄熱材８の表面に遮熱材（反射膜）７を貼り付けることで更に反射率を向上させることを可能とする。
【００２１】  次に本発明の第２実施例（ロールスクリーン）について図４〜図６に基づいて説明する。図４においてロールスクリーン９は、窓５のフレームにロールスクリーン取付金具１１を木ネジ等で固定を行う。全てのロールスクリーン取付金具１１を取付け後、ロールスクリーンレール１０をロールスクリーン取付金具１１に嵌め込む。嵌め込んだ後、ロールスクリーンレール１０内にロールスクリーン９を巻き込む。又、ロールスクリーン９は設置場所に応じ寸法選定を行うものとする。
【００２２】  図４と図５はロールスクリーン９の使用方法を示す。図４はロールスクリーン９を巻き込んだ状態の図である。図５はロールスクリーン９を引張った状態の図である。ロールスクリーン９はロールスクリーンレール１０に巻き込まれて設置されており、手動で開け閉めが可能となる。又、ロールスクリーンレール１０はロールスクリーン取付金具１１から取外しが可能であり、季節の用途に応じ裏面と表面の入れ替えを行うものとする。
【００２３】  前記説明したロールスクリーン９は、図６の断面図で示すように潜熱蓄熱材１４の表面に太陽熱を集熱する選択吸収膜１２、裏面に太陽光を遮熱する遮熱材（反射膜）１３からなる３層構造とする。
【００２４】  夏場は、遮熱材（反射膜）１３を屋外方向に、選択吸収膜１２を屋内方向に設置する。上記実施により太陽光を遮熱することが可能となり、室内温度の上昇を軽減する。
【００２５】  冬場は、選択吸収膜１２を屋外方向に、遮熱材（反射膜）１３を屋内方向に回転させる。上記実施により太陽光から集熱することが可能となり、室内温度の上昇が見込まれる。
【００２６】  春秋は上記方法を駆使し、室内温度を上昇させたい場合は、選択吸収膜１２を屋外方向に、遮熱材（反射膜）１３を屋内方向に取付けを行う。上記実施により太陽光から集熱することが可能となり、室内温度の上昇が見込まれる。室内温度を上昇させたくない場合は選択吸収膜６を屋外方向に、遮熱材（反射膜）１３を屋内方向に取付けを行う。上記実施により太陽光から集熱することが可能となり、室内温度の上昇が見込まれる。この動作を状況に応じて行う。
【００２７】  上記実施例では、潜熱蓄熱材１４に白色系の材料、例えば不織布を使用する。白色系の反射率は７０％となり、高い反射率を見込める。（反射率を色彩で比較すると黒色系は４％）又、潜熱蓄熱材１４の表面に遮熱材（反射膜）１３を貼り付けることで更に反射率を向上させることを可能とする。
【符号の説明】
【００２８】  １    スラット
２    スラット回転金具
３    レール取付金具
４    レール
５    窓
６    選択吸収膜
７    遮熱材（反射膜）
８    潜熱蓄熱材
９    ロールスクリーン
１０    ロールスクリーンレール
１１    ロールスクリーン取付金具
１２    選択吸収膜
１３    遮熱材（反射膜）
１４    潜熱蓄熱材
【図１】
2020060081.tif 000003
【図２】
2020060081.tif 000004
【図３】
2020060081.tif 000005
【図４】
2020060081.tif 000006
【図５】
2020060081.tif 000007
【図６】
2020060081.tif 000008